(57)【要約】【課題】  収納容器に貼設した状態で、浴室内に長期間設置した場合であっても、清潔な状態が保持され、且つ張り替えが容易な表示ラベルを提供する。【解決手段】  浴室内に設置される身体洗浄剤の収納容器に着脱可能に繰り返し貼設しうる表示ラベルであって、可撓性を有する合成樹脂製のシート材により形成され、上記シート材の表面部には、上記収納容器の内容物が表示されると共に、上記シート材の表面部全域に、防カビ加工が施された構成とする。【選択図】  図１
0003166465.tif 000002
【実用新案登録請求の範囲】
【請求項１】
浴室内に設置される身体洗浄剤等の収納容器に、着脱可能に繰り返し貼設しうる表示ラベルであって、
可撓性を有する合成樹脂製のシート材により形成され、
上記シート材の表面部には、上記収納容器の内容物が表示されると共に、
上記シート材の表面部全域に、防カビ加工が施されていることを特徴とする表示ラベル。
【請求項２】
上記シート材は、自己吸着性を有するシリコンシートから形成されることを特徴とする請求項１記載の表示ラベル。
【請求項３】
上記シート材の裏面部には、繰り返し接着、及び剥離が可能な粘着剤からなる粘着層が形成されていることを特徴とする請求項１記載の表示ラベル。
【請求項４】
上記表示ラベルの表面部には、上記収納容器の内容物を表示する文字、若しくは図絵と共に、上記収納容器の内容物を表示する点字文字が配置されていることを特徴とする請求項１記載の表示ラベル。
【考案の詳細な説明】
【技術分野】
【０００１】
本考案は、浴室内等に設置され、シャンプー、コンディショナー、若しくはボディーソープ等の身体洗浄剤を収納する、収納容器の表面に貼設される表示ラベルに関する。
【背景技術】
【０００２】
浴室内には、シャンプー、コンディショナー、ボディーソープ等、複数種の身体洗浄剤が設置されている。
一般的に、上記身体洗浄剤の収納容器は、略円筒状の収納部と、上記収納部の上端に配設された、手押しポンプ部を備えた形態を有し、全体の外観は互いに類似している場合が多い。
また、収納容器の表面デザインについても、相互に類似していることから、商品名称を見ただけでは、内容物を把握し難い。
更に、「シャンプー」、「コンディショナー」等の商品種別を表す文字は、商品名称と比較して小さな文字で印字されている場合が多く、非常に判別し難いため、商品種別を取り違えて使用する虞があった。
特に、視覚が不自由な者にとっては、商品種別表示を識別し難く、上記不具合が顕著であった。
【０００３】
また、最近では、上記収納容器を浴室用インテリアの一つと捉え、共通のデザインに統一した複数の収納容器に、複数種の身体洗浄剤を夫々移し替えて使用する場合もあることから、収納容器の外観のみで、内容物を把握することが、更に困難となるという不具合を有していた。
【０００４】
上記不具合を解決する方法としては、収納容器の表面に、油性ペン等で内容物の表示を書き込む方法、若しくは、粘着シート等に内容物の種類を記載して、上記粘着シートを収納容器表面に貼設する等の方法があった。
しかしながら、収納容器に、直接内容物を記載した場合には、浴室の蒸気等によって、早期に表示が消えてしまうことが多い。
また、内容物を記載した粘着シートを貼付した場合には、浴室内の高い湿度によって、貼付したシートの表面に発生して、文字が識別し難くなると共に、非常に不衛生な状態となる。
更に、一般的な粘着シートの場合、剥離し難く、張り替え作業が煩わしいという不具合を有していた。
【考案の開示】
【考案が解決しようとする課題】
【０００５】
本考案の課題は、上記不具合を解消し、収納容器に貼設した状態で、浴室内に長期間設置した場合であっても、カビが発生せず、清潔な状態が保持され、且つ張り替え作業が容易な、表示ラベルを提供することにある。
【課題を解決するための手段】
【０００６】
上記課題を解決するため、請求項１に記載した考案に係る表示ラベルは、浴室内に設置される身体洗浄剤等の収納容器に、着脱可能に繰り返し貼設しうる表示ラベルであって、可撓性を有する合成樹脂製のシート材により形成され、上記シート材の表面部には、上記収納容器の内容物が表示されると共に、上記シート材の表面部全域に、防カビ加工が施されていることを特徴とする。
【０００７】
従って、上記表示ラベルが、収納容器に貼付された状態で、湿度が高い浴室内に長期間設置された場合であっても、上記シート材の表面部にカビが発生することを防止すると共に、上記収納容器の内容物が変更となった場合には、上記表示ラベルを収納容器から速やかに剥離して、貼り替えることができる。
【０００８】
また、請求項２に記載した考案に係る表示ラベルは、上記シート材は、自己吸着性を有するシリコンシートから形成されることを特徴とする。
【０００９】
自己吸着性を有するシリコンシートは、表面に微小な吸盤構造を有している。
従って、上記シリコンシートを収納容器の平滑面に貼設した場合には、上記吸盤構造を構成している微小な吸盤が、上記収納容器の平滑面に吸い付き、上記収納容器の表面に固定される。
【００１０】
また、請求項３に記載した考案に係る表示ラベルは、上記シート材の裏面部には、繰り返し接着、及び剥離が可能な粘着剤からなる粘着層が形成されていることを特徴とする。
【００１１】
従って、上記シート材は、上記収納容器の表面に、上記粘着層を介して貼設固定される。
【００１２】
また、請求項４に記載した考案に係る表示ラベルは、上記表示ラベルの表面部には、上記収納容器の内容物を表示する文字と共に、上記文字に対応する、点字文字が配置されていることを特徴とする。
【００１３】
従って、点字を指でなぞることによって、速やかに内容物を認識することができる。
【考案の効果】
【００１４】
請求項１の考案にあっては、浴室内に設置される身体洗浄剤等の収納容器に、着脱可能に繰り返し貼設しうる表示ラベルであって、可撓性を有する合成樹脂製のシート材により形成され、上記シート材の表面部には、上記収納容器の内容物が表示されると共に、上記シート材の表面部全域に、防カビ加工が施されていることから、収納容器に表示ラベルを貼設した状態で、浴室内に長期間設置した場合であっても、カビが発生せず、清潔な状態が保持され、且つ張り替え作業が容易な、表示ラベルを提供することができる。
【００１５】
また、請求項２の考案にあっては、上記シート材は、自己吸着性を有するシリコンシートから形成されることから、粘着剤を用いることなく、上記収納容器に貼設固定することができる。
従って、粘着剤の劣化による吸着力の低下が発生する虞がないと共に、収納容器から剥離した場合に、上記収納容器の表面に粘着剤が残留して、収納容器を汚す虞が無い。
【００１６】
また、請求項３の考案にあっては、上記シート材の裏面部には、繰り返し接着、及び剥離が可能な粘着剤からなる粘着層が形成されていることから、収納容器の表面に凹凸若しくは微細な孔部がある場合であっても、上記粘着層を介して、上記収納容器に貼設固定することができる。
【００１７】
また、請求項４の考案にあっては、上記表示ラベルの表面部には、上記収納容器の内容物を表示する文字と共に、上記文字に対応する、点字文字が配置されていることから、視覚が不自由な者であっても、速やかに内容物を把握することができる。
【図面の簡単な説明】
【００１８】
【図１】本考案に係る表示ラベルの一実施の形態を示し、（ａ）は表示ラベルの平面図、（ｂ）は表示ラベルの表面に配設された点字文字の拡大図である。
【図２】本考案に係る表示ラベルの一実施の形態を示し、実施例の構成における表示ラベルを収納容器に貼設した状態における上記収納容器の正面図である。
【図３】本考案に係る表示ラベルの一実施の形態を示し、シート材の裏面側に粘着層が形成された場合を示す厚さ方向断面図である。
【考案を実施するための最良の形態】
【００１９】
以下、本考案に係る表示ラベルを、シート材がシリコンシートである場合を例に、添付図面を用いて説明する。  
図１に示すように、本実施の形態に係る表示ラベル１０は、浴室内に設置される身体洗浄剤等の収納容器１１に着脱可能に繰り返し貼設され、可撓性及び自己吸着性を有するシリコンシート１２により形成され、上記シリコンシート１２の表面部１２ａには、上記収納容器の内容物が表示されると共に、上記シリコンシート１２の表面部１２ａの全域には、防カビ加工が施されている。
また、上記表示ラベル１０の表面部１２には、上記収納容器の内容物を表示する文字１３と共に、上記文字１３に対応する、点字文字１４が配置されている。
【実施例１】
【００２０】
本考案の実施例の構成について、収納容器の内容物がシャンプーである場合を例に、添付図面を用いて詳述する。
図１（ａ）は、本考案に係る表示ラベル１０の平面図、（ｂ）は上記表示ラベル１０の表面に配置された点字文字１４の拡大図である。
図１（ａ）に示すように、本実施例に係る表示シート１０のシリコンシート１２は、楕円形に形成され、表面部１２ａに「シャンプー」の文字１３が印字されると共に、上記表面部１２ａにおける、長辺の径方向一端部には、図１(ｂ)に示すように、「シャンプー」を意味する点字文字１４が配置されている。
【００２１】
上記文字１３のフォントは、識別のし易さを考慮し、可能な限り大きなフォントを用いて印刷する。
また、上記シリコンシート１２の表面部１２ａにおいて、上記文字１３と、上記点字文字１４以外の部分に、内容物の種類に応じた装飾を施すこともできる。
また、シリコンシート１２自体を任意の色に着色することもできる。
【００２２】
また、シリコンシート１２の形状については、上記収納容器１１に貼設しうる大きさ寸法の範囲であれば、特に限定する必要は無く、内容物の種類に応じて、上記シリコンシート１２の形状を適宜変更することができる。
また、シリコンシート１２の厚さ寸法については、上記収納容器１１の表面が曲面である場合であっても、容易に貼設しうる可撓性が保持される範囲であれば、特に制約されない。
【００２３】
また、上記シリコンシート１２の表面部１２ａに施される防カビ加工の方法としては、例えば、防カビ剤を表面部１２ａを塗布して、上記表面部１２ａを被覆する方法、若しくはシリコンシート１２の原材料に、予め防カビ剤を直接混入させる方法等があり、表示ラベル１０の製造設備、及び製造コストの制約等に応じ、適宜防カビ加工方法を選択することができる。
【００２４】
本実施例によれば、老人や子供であっても、大きな文字表示、及び装飾等から、全体形状が類似した、複数の収納容器の中から、希望する内容物が収納された収納容器を、簡単に識別することができる。
更に、視覚が不自由である場合にも、指で点字部をなぞることによって、内容物を速やかに認識できるため、使用する身体洗浄剤の取り違えが発生しない。
また、浴室内に長期間設置した場合であっても、表示ラベルにカビが発生しないため、長期間に亘って清潔な状態のまま、使用することができる。
また、シリコンシートには粘着剤を使用しないことから、貼設作業、及び剥離作業が容易であり、また、剥離後も収納容器の表面を汚す虞が無い。
また、シリコンシートの吸盤構造によって、収納容器に接着することから、繰り返しの接着及び剥離の過程でも吸着力が落ちることなく、長期間使用することが可能であるため、非常に経済的である。
【実施例２】
【００２５】
また、図３に示すように、表示ラベル１０に、シリコンシート以外の合成樹脂製のシート材１２を使用する場合には、上記シート材１２の裏面部１２ｂに、粘着剤を塗布して粘着層１５を形成し、上記粘着層１５を介して収納容器１１（図３には図示せず）に貼設固定する。
【００２６】
本実施例の場合、接着と剥離を繰り返す過程において、粘着剤の粘着力が劣化虞があるが、素焼き容器等、表面に凹凸形状、若しくは微細孔部を有する素材から形成された収納容器であっても確実に貼設固定することができる。
なお、その他の作用及び効果は実施例１と同様である。
【００２７】
また、実施例１、及び実施例２のいずれの場合であっても、点字文字の配置位置は、指で触れ易い位置であれば、適宜変更することができる。
【産業上の利用可能性】
【００２８】
本考案は、浴室等に設置され、シャンプー、コンディショナー、ボディーソープ等の、身体洗浄剤を収納する収納容器の表面に貼設される表示ラベルに適用することができる。
【符号の説明】
【００２９】
１０  表示ラベル
１１  収納容器
１２  シート材（シリコンシート）
１２ａシート材（シリコンシート）の表面部
１２ｂシート材の裏面部
１３  文字
１４  点字文字
１５  粘着層
【図１】
0003166465.tif 000003
【図２】
0003166465.tif 000004
【図３】
0003166465.tif 000005